(57)【要約】【課題】長尺状の照明装置の幅を小さくする。【解決手段】照明装置１０Ｂは、長尺状の基板３４と、基板３４の表面に実装され、表面の垂線に一致する光軸ＯＡを中心として所定の配光角２θで光を出射する発光部３６と、基板３４が取り付けられる長尺状の基板取付部材３０と、基板取付部材３０の長手方向の端部において、発光部３６に対して基板３４の短手方向に隣り合って設けられるコネクタ２２ｍとを備える。コネクタ２２ｍは互いに平行に並んだ２つの端子部２６ｍを有し、該２つの端子部２６ｍの並び方向が光軸ＯＡに対して第１角度αで傾斜している。【選択図】図７
2018120748.tif 000002
【特許請求の範囲】
【請求項１】
長尺状の基板と、
前記基板の表面に実装され、前記表面の垂線に一致する光軸を中心として所定の配光角で光を出射する発光部と、
前記基板が取り付けられる長尺状の基板取付部材と、
前記基板取付部材の長手方向の端部において、前記発光部に対して前記基板の短手方向に隣り合って設けられるコネクタと、を備え、
前記コネクタは互いに平行に並んだ少なくとも２つの端子部を有し、該２つの端子部の並び方向が前記光軸に対して第１角度で傾斜している、
照明装置。
【請求項２】
前記第１角度は、前記配光角の１／２以上で、かつ、８０度以下である、請求項１に記載の照明装置。
【請求項３】
前記コネクタは前記２つの端子部を保持するコネクタ本体を含み、前記コネクタ本体は、前記光軸に対して第２角度で傾斜する面取りされた側面を有し、前記第２角度は前記配光角の１／２以上で、かつ、８０度以下である、請求項１または２に記載の照明装置。
【請求項４】
前記第２角度は、前記第１角度に略等しい、請求項３に記載の照明装置。
【請求項５】
前記第１角度は、６０度以上である、請求項２または３に記載の照明装置。
【請求項６】
前記第２角度は、６０度以上である、請求項３または４に記載の照明装置。
【請求項７】
前記発光部は、前記基板上で長手方向に間隔をおいて配置された複数の発光素子を含む、請求項１〜６のいずれか一項に記載の照明装置。
【請求項８】
前記複数の発光素子は、透光性樹脂で一括封止されている、請求項７に記載の照明装置。
【発明の詳細な説明】
【技術分野】
【０００１】
本開示は、照明装置に関する。
【背景技術】
【０００２】
従来、下記特許文献１には、ＬＥＤ（Light Emitting Device）ユニットが開示されている。このＬＥＤユニットは、長尺状のＬＥＤ基板と、このＬＥＤ基板の長手方向に沿った配列線上に間隔をおいて配置された複数個のＬＥＤとを有する。また、ＬＥＤ基板の長手方向の端部には、コネクタが設けられている。このコネクタは、上記配列線から外れた位置に配置されている。
【先行技術文献】
【特許文献】
【０００３】
【特許文献１】特開２０１３−２５１４４４号公報
【発明の概要】
【発明が解決しようとする課題】
【０００４】
上記特許文献１では、ＬＥＤ基板の端部にコネクタが一体的に設けられている。これに対し、照明装置において、複数の発光素子が実装された長尺状の基板が取り付けられる基板取付部材にコネクタが固定されることがある。この場合、コネクタは、通常、２つの端子部を有し、この端子部の並び方向が上記基板と平行となるように配置されるのが一般的である。しかし、このようにコネクタを配置すると、照明装置において基板の短手方向の寸法が大きくなるため、照明装置の幅を小さくするうえで制約となる。
【０００５】
本開示の目的は、発光部が実装された長尺状の基板を含む照明装置において、基板の短手方向における照明装置の幅を小さくすることである。
【課題を解決するための手段】
【０００６】
本開示に係る照明装置は、長尺状の基板と、前記基板の表面に実装され、前記表面の垂線に一致する光軸を中心として所定の配光角で光を出射する発光部と、前記基板が取り付けられる長尺状の基板取付部材と、前記基板取付部材の長手方向の端部において、前記発光部に対して前記基板の短手方向に隣り合って設けられるコネクタとを備える。前記コネクタは互いに平行に並んだ少なくとも２つの端子部を有し、該２つの端子部の並び方向が前記光軸に対して第１角度で傾斜している。
【発明の効果】
【０００７】
本開示に係る照明装置によれば、２つの端子部の並び方向が発光部の光軸に対して第１角度で傾斜した姿勢でコネクタを配置したことで、照明装置の短手方向におけるコネクタの寸法を低減でき、照明装置の幅を小さくすることができる。
【図面の簡単な説明】
【０００８】
【図１】本開示の一実施形態である照明装置の全体斜視図である。
【図２】図１に示した照明装置の設置例を示す図である。
【図３】図１に示した照明装置に含まれる連結用照明装置を一方の端面方向から見た斜視図である。
【図４】図３に示した連結用照明装置を他方の端面方向から見た斜視図である。
【図５】連結用照明装置の分解斜視図である。
【図６】連結用照明装置の平面図（カバー部材を除く）である。
【図７】図６におけるVII-VII断面図である。
【図８】変形例の照明装置に含まれる連結用照明装置を示す、図７と同様の断面図である。
【図９】（ａ）は基板の変形例を示す平面図であり、（ｂ）は（ａ）におけるＤ−Ｄ断面図である。
【発明を実施するための形態】
【０００９】
以下に、本開示に係る実施の形態について添付図面を参照しながら詳細に説明する。この説明において、具体的な形状、材料、数値、方向等は、本開示の理解を容易にするための例示であって、用途、目的、仕様等にあわせて適宜変更することができる。また、以下において複数の実施形態や変形例などが含まれる場合、それらの特徴部分を適宜に組み合わせて用いることは当初から想定されている。
【００１０】
図１は、本開示の一実施形態である照明装置１０の全体斜視図である。図１（図５も同様）において、照明装置１０の長手方向が矢印Ｘで、短手方向または幅方向が矢印Ｙで、厚さ方向が矢印Ｚでそれぞれ示されている。各方向Ｘ，Ｙ，Ｚは互いに直交する方向である。
【００１１】
図１に示すように、本実施形態の照明装置１０は、基端用照明装置１０Ａと連結用照明装置１０Ｂとによって構成される。各照明装置１０Ａ，１０Ｂは、長く延びた扁平な直方体状にそれぞれ形成されている。基端用照明装置１０Ａは、端部に電源導入部１２が設けられている点において、連結用照明装置１０Ｂと相違するが、他の構成は同じとすることができる。
【００１２】
なお、本実施形態における基端用照明装置１０Ａおよび連結用照明装置１０Ｂのそれぞれが本開示に係る照明装置に相当する。本開示に係る照明装置は、基端用照明装置だけで構成されてもよいし、あるいは、１つの基端用照明装置と、この基端用照明装置に直線的に連結された２つ以上の連結用照明装置とを含んで構成されてもよい。
【００１３】
基端用照明装置１０Ａには、電源導入部１２が連結固定されている。電源導入部１２には、照明装置１０が設置される建物（例えば、住宅、ビル等）内に配線された例えばＶＶＦ（ビニル絶縁ビニルシールケーブル平形）等からなる電源線１が引き込まれている。電源線１の端部において露出した芯線は、電源導入部１２内に収容された端子台１４に電気的および機械的に接続されている。端子台１４は、図示しないが、基端用照明装置１０Ａの端部に配置されたオス型コネクタに接続されている。
【００１４】
基端用照明装置１０Ａおよび連結用照明装置１０Ｂは、取付板２を介して設置される。取付板２は、例えば金属板等で形成される長尺状の部材である。図２に、照明装置１０の設置例を示す。図１および図２に示すように、取付板２は、底板部２ａと、底板部２ａの幅方向両側縁部に立設された側壁部２ｂと、各側壁部２ｂの端部において互いに対向する方向に突出した突出部２ｃとを有する。
【００１５】
図２に示すように、各照明装置１０Ａ，１０Ｂの幅方向両側の側壁１６の外面には、溝１８が長手方向に沿ってそれぞれ形成されている。溝１８は、照明装置１０の底板２０の近傍に形成されるのが好ましい。このように形成された溝１８内に取付板２の突出部２ｃが嵌まり込んだ状態で、照明装置１０が取付板２に取り付けられる。ここで、突出部２ｃと溝１８の内面との隙間は、各照明装置１０Ａ，１０Ｂが取付板２に対して円滑に挿入およびスライド移動でき、かつ、がたつき無く取り付けられるように設定されている。
【００１６】
図２には、照明装置１０が壁面３に設置する例が示される。壁面３は、例えば、合板、石膏ボード、モルタル、コンクリート等によって形成されている。取付板２は、例えば皿ネジ等のねじ４によって壁面３に固定可能である。なお、照明装置１０の設置場所は、壁面３に限定されるものではなく、他の場所（例えば、天井等）に設置されてもよい。
【００１７】
このようにして壁面３に取付板２が取り付けられた後、図１に示すように、取付板２の長手方向の端部から、基端用照明装置１０Ａを矢印Ａ方向（すなわち長手方向）にスライド移動させて取付板２上に配置する。連結用照明装置１０Ｂも同様に、取付板２の長手方向の端部から矢印Ａ方向（すなわち長手方向）にスライド移動させて取付板２上に配置する。そして、連結用照明装置１０Ｂの長手方向端面に突設されているオス型コネクタ２２ｍを、基端用照明装置１０Ａの長手方向端面に凹設されているメス型コネクタ２２ｆ（図３参照）に挿入する。これにより、基端用照明装置１０Ａと連結用照明装置１０Ｂとが電気的に接続されるとともに機械的に連結される。ここで、オス型コネクタ２２ｍおよびメス型コネクタ２２ｆが本開示に係る照明装置のコネクタに相当する。
【００１８】
なお、取付板２に対する各照明装置１０Ａ，１０Ｂの固定は、各照明装置１０Ａ，１０Ｂにそれぞれ含まれる基板取付部材を取付板２にねじ留め等することによって行ってもよい。
【００１９】
上述したように基端用照明装置１０Ａと連結用照明装置１０Ｂとは、電源導入部１２以外は同じ構成を有するため、以下では連結用照明装置１０Ｂを例として詳細に説明する。
【００２０】
図３は、連結用照明装置１０Ｂを一方の端面方向から見た斜視図であり、図４は連結用照明装置１０Ｂを他方の端面方向から見た斜視図である。図３に示すように、連結用照明装置１０Ｂにおいて、長手方向の一端部に取り付けられた端板１１ａには、メス型コネクタ２２ｆが設けられている。本実施形態では、メス型コネクタ２２ｆは、２つの孔２４を有している。孔２４の内部には、後述するメス型端子部が配置されている。
【００２１】
他方、図４に示すように、連結用照明装置１０Ｂにおいて、長手方向の他端部に取り付けられた端板１１ｂには、オス型コネクタ２２ｍが設けられている。本実施形態では、オス型コネクタ２２ｍは、２本のピン状のオス型端子部２６ｍによって構成されている。
【００２２】
図５は、連結用照明装置１０Ｂの分解斜視図である。図６は、連結用照明装置１０Ｂの平面図（カバー部材を除く）である。
【００２３】
図５に示すように、連結用照明装置１０Ｂは、基板取付部材３０を備える。基板取付部材３０は、長尺状の部材であり、連結用照明装置１０Ｂの底板２０を構成する底板部３２を有する。底板部３２は、平面視で細長い長方形状に形成されている。底板部３２の幅方向（矢印Ｙ方向）の両端縁部には、連結用照明装置１０Ｂの側壁１６がそれぞれ立設されている。本実施形態では、側壁１６は底板部３２に対して略垂直に形成されている。また、底板部３２と側壁１６とは、例えばポリカーボネート等の樹脂によって一体に形成されている。但し、これに限定されるものではなく、底板部および側壁を含む基板取付部材は、金属板によって一体に形成されてもよい。この場合、基板設置面となる底板部の表面に絶縁層を設けるのが好適である。また、基板取付部材の２つの側壁のうち少なくとも一方を、後述するカバー部材５６（図５参照）と一体に形成してもよい。
【００２４】
基板取付部材３０の長手方向両端には、端板１１ａ，１１ｂが取り付けられる。端板１１ａ，１１ｂは、底板部３２と側壁１６とによって区画される略直方体状の空間の長手方向の両端部をそれぞれ閉じるように設けられる。端板１１ａ，１１ｂは、例えば、図示しない連結部材を介して基板取付部材３０の側壁１６に固定される。
【００２５】
上記端板１１ａ，１１ｂのうち、長手方向の一端部の端板１１ａの内面（連結用照明装置１０Ｂの内側に向いた面）には、メス型コネクタ２２ｆが設けられている。メス型コネクタ２２ｆは、端板１１ａの内面に突出して形成されたコネクタ本体１３ｆと、コネクタ本体１３ｆ内に挿入された状態に保持される２つのメス型端子部２６ｆとを含む。本実施形態では、コネクタ本体１３ｆは、端板１１ａと同じ樹脂材料（例えば、ポリカーボネート等）によって一体に形成されている。
【００２６】
メス型コネクタ２２ｆにおいて、２つのメス型端子部２６ｆは、互いに平行に並んだ状態で配置されている。また、メス型端子部２６ｆは、金属製であって、筒状部分を有する。この筒状部分が端板１１ａの孔２４に連通している。
【００２７】
これに対し、長手方向の他端部の端板１１ｂの内面（連結用照明装置１０Ｂの内側に向いた面）には、オス型コネクタ２２ｍが設けられている。オス型コネクタ２２ｍは、端板１１ｂの内面に突出して形成されたコネクタ本体１３ｍと、コネクタ本体１３ｍ内に基端部が保持された２つのオス型端子部２６ｍとを含む。本実施形態では、コネクタ本体１３ｍは、端板１１ｂと同じ樹脂材料（例えば、ポリカーボネート等）によって一体に形成されている。
【００２８】
オス型コネクタ２２ｍにおいて、２つのオス型端子部２６ｍは、互いに平行に並んだ状態で配置されている。各オス型端子部２６ｍの基端部は、コネクタ本体１３ｍ内に保持されている。各オス型端子部２６ｍの先端部は、図３及び図６に示すように、端板１１ｂの外側に突出している。オス型端子部２６ｍは、金属製であって、ピン状に形成されている。
【００２９】
このように形成される連結用照明装置１０Ｂのオス型コネクタ２２ｍが、基端用照明装置１０Ａのメス型コネクタ２２ｆの孔２４に挿入されることによって、各照明装置１０Ａ，１０Ｂが電気的および機械的に連結されるように構成されている。
【００３０】
再び図５及び図６を参照すると、連結用照明装置１０Ｂは、長尺状の基板３４を更に備える。基板３４は、平面視で細長い長方形状をなし、基板取付部材３０の底板部３２よりも少し小さく形成されている。基板３４は、例えばねじ留め等によって底板部３２上に固定される。底板部３２または側壁１６にクリップ部を設け、基板３４の幅方向両側の端部をクリップ部でそれぞれ挟持することによって基板３４を基板取付部材３０に取り付ける構成としてもよい。
【００３１】
基板３４の表面には、発光部３６が実装されている。本実施形態では、発光部３６は、複数の発光素子３８を含む。複数の発光素子３８は、ＬＥＤ素子によって好適に構成される。複数の発光素子３８は、基板３４上で長手方向に所定の間隔ｄをおいて配置されている。本実施形態では、複数の発光素子３８が直線的に配列されている。なお、発光素子３８は、ＬＥＤ以外の発光素子であってもよい。
【００３２】
複数の発光素子３８のうち基板３４の長手方向の両端部に実装されている発光素子３８ａに対して、メス型コネクタ２２ｆおよびオス型コネクタ２２ｍが基板３４の短手方向（すなわち幅方向）に隣り合って設けられている。この構成によって、基板３４の端部に位置する発光素子３８ａからの光の一部がコネクタ２２ｍ，２２ｆによって遮られることが起こり得る。このような遮光を抑制する等のため、本実施形態の連結用照明装置１０Ｂでは、各コネクタ２２ｍ，２２ｆにおける端子部２６ｍ，２６ｆの並び方向を工夫している。その詳細については、図７を参照して後述する。
【００３３】
複数の発光素子３８からなる発光部３６は、基板３４の幅方向中心線Ｃに対して一方の縁部に寄った位置に配列されている。これに対し、上記幅方向中心線Ｃと基板３４の他方の縁部との間の基板表面には、駆動回路部４０が実装されている。駆動回路部４０は、基板３４の表面に例えばリフロー半田付け等によってそれぞれ実装された２つのコンデンサ４２，４４およびＡＣ／ＤＣコンバータ４６を含む。
【００３４】
また、基板３４の表面には、駆動回路部４０の長手方向の両方に２つの基板上コネクタ４８，５０が例えばリフロー半田付け等によって実装されている。一方の基板上コネクタ４８は、２本のリード線５２を介してメス型コネクタ２２ｆに電気的に接続されている。また、他方の基板上コネクタ５０は、２本のリード線５４を介してオス型コネクタ２２ｍに電気的に接続されている。
【００３５】
駆動回路部４０に含まれるコンデンサ４２，４４およびＡＣ／ＤＣコンバータ４６は、基板３４に形成された配線パターンを介して２つの基板上コネクタ４８，５０に電気的に接続されている。これにより、基端用照明装置１０Ａのメス型コネクタ２２ｆから連結用照明装置１０Ｂのオス型コネクタ２２ｍ、リード線５４および基板上コネクタ５０を介して交流電圧が供給されると、駆動回路部４０のＡＣ／ＤＣコンバータ４６によって交流電圧が直流電圧に変換される。変換された直流電圧は、図示しない配線パターンを介して基板３４上の各発光素子３８に印加される。その結果、各発光素子３８には、所定の電流が通電され、光が出射する。上記コンデンサ４２，４４およびＡＣ／ＤＣコンバータ４６には、公知の如何なる構成のものが用いられてもよい。
【００３６】
また、２つの基板上コネクタ４８，５０は、図示しない配線パターンによって、ＡＣ／ＤＣコンバータ４６を介することなく、直接に電気的に接続されている。したがって、連結用照明装置１０Ｂのメス型コネクタ２２ｆに別の連結用照明装置１０Ｂが連結されたとき、当該別の連結用照明装置１０Ｂに交流電圧を供給することができる。
【００３７】
図５に示すように、連結用照明装置１０Ｂは、カバー部材５６を更に備える。本実施形態では、カバー部材５６が、細長い長方形状を有する透光性の平板によって構成される。カバー部材５６は、例えばポリカーボネート等の樹脂によって形成される。カバー部材５６は、基板取付部材３０の側壁１６、および／または、端板１１ａ，１１ｂに対し、例えば、嵌め込み、ネジ留め等によって取り付けられる。これにより、連結用照明装置１０Ｂにおいて基板３４に対して厚さ方向Ｚに対向する開口部がカバー部材５６によって閉じられる。ここで、カバー部材５６は、平板に限定されるものではなく、他の形状（例えば、半円筒形状）に形成されてもよい。また、カバー部材５６は、光拡散機能を有してもよい。
【００３８】
なお、本実施形態では、カバー部材５６の全体が透光性を有するとして説明するが、これに限定されるものではない。例えば、カバー部材５６において、厚さ方向（Ｚ方向）で発光素子３８と対向する部分に位置する、カバー部材５６の約半分を透光性の樹脂材料で形成し、残りの約半分を遮光性の樹脂材料で構成してもよい。このような遮光性の部分と透光性部分とが一体になったカバー部材を一度の押出成形によって形成してもよい。また、基板取付部材３０において発光素子３８に近接した側壁１６を透光性樹脂で形成して、発光素子３８から出射された光の一部を側壁１６を透過して照明装置１０の外部に照射できるようにしてもよい。
【００３９】
次に、図７を参照して、本実施形態の連結用照明装置１０Ｂにおけるコネクタの端子部の並び方向について詳細に説明する。図７は、図６におけるVII−VII断面図である。
【００４０】
図７に示すように、本実施形態の連結用照明装置１０Ｂにおける発光素子３８，３８ａは、光軸ＯＡを中心として所定の配光角２θをもって光を出射する。ここで、配光角２θとは、例えば、ランバーシアン配光を有する光源について、最大光度の方向であって、発光面の中心点を通る垂線に相当する光軸ＯＡ上（θ＝０度）の光の強度に対して相対的に該強度が５０％となる方向の光軸ＯＡからの内角で表されるものである。本実施形態の発光素子３８は、例えば２θ＝１２０度（θ＝６０度）の配光角を有する例が図示される。
【００４１】
ここで、本実施形態の発光素子３８は、その発光面（図７における上面）が基板３４の表面３４ａと平行な状態で実装されている。したがって、この場合における発光素子３８の光軸ＯＡは、基板３４の表面３４ａの垂線に一致する。但し、基板３４への発光素子３８の実装時の誤差等によって、光軸ＯＡが基板３４の表面３４ａの垂線に対して例えば１０度程度、好ましくは数度程度ずれることがある。この場合でも、発光素子３８の光軸ＯＡは、基板３４の表面３４ａの垂線と実質的に一致するとみなせる。
【００４２】
本実施形態の連結用照明装置１０Ｂでは、オス型コネクタ２２ｍの２つのオス型端子部２６ｍの並び方向、換言すれば２つのピン状のオス型端子部２６ｍの中心軸同士を結んだ仮想直線は、発光素子３８の光軸に対して第１角度αで傾斜している。この第１角度αは、配光角２θの１／２以上で、かつ、８０度以下であることが好ましく、６０度以上であることがより好ましい。
【００４３】
通常、２つ（または２極）の端子部を有するコネクタは、端子部の並び方向と平行をなす側面を有するコネクタ本体を備える。図７に示すように、本実施形態におけるオス型コネクタ２２ｍのコネクタ本体１３ｍは、長円形状またはトラック形状の断面を有し、２つのオス型端子部２６ｍの並び方向と平行な２つの側面５８ａ，５８ｂを有する。そのうち、基板３４とは反対側の側面５８ａは、２つのオス型端子部２６ｍの並び方向と平行に配置されている。すなわち、オス型コネクタ２２ｍのコネクタ本体１３ｍは、光軸ＯＡに対して第１角度αで傾斜した側面５８ａを有する。なお、コネクタ本体１３ｍの断面形状は、上記のトラック状のものに限定されるものではなく、例えば長方形状等の他の形状であってもよい。
【００４４】
上記のように２つの端子部の並び方向が発光素子３８の光軸ＯＡに対して第１角度αで傾斜して配置されていることは、メス型コネクタ２２ｆについても同様である。このように端子部２６ｍ，２６ｆが傾斜して配置されることで、連結用照明装置１０の短手方向に沿った各コネクタ２２ｍ，２２ｆの幅方向寸法を抑えることができる。その結果、連結用照明装置１０Ｂの幅を小さくすることができる。
【００４５】
また、各コネクタ２２ｍ，２２ｆのコネクタ本体１３ｍ，１３ｆが第１角度αで傾斜した側面５８ａを有することで、幅方向に近接する発光素子３８から出射される配光領域６０の外縁６２に略沿った姿勢でコネクタ本体１３ｍ，１３ｆを配置することができる。したがって、発光素子３８から出射された光をできるだけ遮らないようにしながら、コネクタ本体１３ｍ，１３ｆを発光素子３８に近づけて配置することができる。その結果、連結用照明装置１０Ｂの幅方向寸法を小さくしながら、コネクタ本体１３ｍ，１３ｆによる遮光を抑制できる。もし仮にコネクタ本体１３ｍ，１３ｆが配光領域６０内にかかったとしても、コネクタ本体１３ｍ，１３ｆの側面５８ａが配光領域６０の外縁６２に略沿って配置されているため、配光領域６０へのコネクタ本体１３ｍ，１３ｆのはみ出し量が小さくて済む。したがって、遮光範囲を低減することができる。
【００４６】
なお、上述した連結用照明装置１０Ｂの作用効果は、基端用照明装置１０Ａについても同様である。
【００４７】
上述したように本実施形態の照明装置１０は、長尺状の基板３４と、基板３４の表面３４ａに実装され、表面３４ａの垂線に一致する光軸ＯＡを中心として所定の配光角２θで光を出射する発光部３６と、基板３４が取り付けられる長尺状の基板取付部材３０と、基板取付部材３０の長手方向の端部において、発光部３６に対して基板３４の短手方向に隣り合って設けられるコネクタ２２ｍ，２２ｆとを備える。そして、コネクタ２２ｍ，２２ｆは互いに平行に並んだ少なくとも２つの端子部２６ｍ，２６ｆを有し、２つの端子部２６ｍ，２６ｆの並び方向が光軸ＯＡに対して第１角度αで傾斜している。
【００４８】
この構成によれば、２つの端子部２６ｍ，２６ｆの並び方向が発光部３６の光軸ＯＡに対して第１角度αで傾斜した姿勢でコネクタ２２ｍ，２２ｆを配置したことで、照明装置１０の短手方向におけるコネクタ２２ｍ，２２ｆの幅寸法を低減でき、照明装置１０の幅を小さくすることができる。
【００４９】
本実施形態の照明装置１０では、第１角度αが配光角２θの１／２以上で、かつ、８０度以下であることが好ましい。この構成によれば、端子部２６ｍ，２６ｆの並び方向に平行なコネクタ本体１３ｍ，１３ｆの側面５８ａを発光部３６の配光領域６０の外縁６２に略沿った姿勢で配置することができる。したがって、照明装置１０の幅を小さくしながら、照明装置１０の長手方向端部でのコネクタ２２ｍ，２２ｆによる遮光を抑制することができる。
【００５０】
また、本実施形態の照明装置１０では、第１角度αが配光角２θの１／２以上で、かつ、８０度以下であって、さらに６０度以下であることがより好ましい。このようにすれば、例えば配光角が例えば１２０度の発光素子３８が用いられる場合に、配光領域６０の外縁６２に対してコネクタ本体１３ｍ，１３ｆの側面５８ａをより平行に近い状態で配置することができ、照明装置１０の長手方向端部でのコネクタ２２ｍ，２２ｆによる遮光をより効果的に抑制できる。
【００５１】
さらに、本実施形態の照明装置１０では、発光部３６が基板３４上で長手方向に間隔をおいて配置された複数の発光素子３８を含む。この構成によれば、照明装置１０の長手方向における光度を均等にすることができる。
【００５２】
次に、図８を参照して、変形例の照明装置について説明する。図８は、変形例の照明装置に含まれる連結用照明装置１０Ｃを示す、図７と同様の断面図である。以下において、上述した連結用照明装置１０Ｂと同一または類似の構成要素については同一または類似の参照符号を付して説明を省略する。
【００５３】
図８に示すように、連結用照明装置１０Ｃでは、オス型コネクタ２２ｍが２つのオス型端子部２６ｍを保持するコネクタ本体１３ｍを含む。コネクタ本体１３ｍは、発光素子３８ａの光軸ＯＡに対して第２角度βで傾斜するように面取りされた側面５８ｃを有する。そして、第２角度βは、配光角２θの１／２以上で、かつ、８０度以下である。
【００５４】
連結用照明装置１０Ｃにおけるコネクタ本体１３ｍは、略六角形状の断面をなし、面取りされた側面５８ｃと反対側（すなわち基板３４側）に該側面５８ｃと平行な側面５８ｄを有している。
【００５５】
連結用照明装置１０Ｃの他の構成は、上記実施形態の連結用照明装置１０Ｂと同様である。
【００５６】
この変形例の連結用照明装置１０Ｃを含む照明装置１０によっても、上記と同様の作用効果を奏することができる。すなわち、照明装置１０の幅を小さくすることができ、照明装置１０の長手方向端部においてコネクタ２２ｍ，２２ｆによる遮光を抑制できる。
【００５７】
また、この変形例の連結用照明装置１０Ｃを含む照明装置１０において、第２角度βは上述した実施形態の連結用照明装置１０Ｂにおける第１角度αと略等しいことが好ましい。ここで「略等しい」とは、全く等しい場合はもとより、実質的に等しいとみなせる範囲（例えば±５度程度）を含むことを意図したものである。このようにすれば、面取りされた側面５８ｃが端子部２６ｍ，２６ｆの並び方向と平行になることで、コネクタ本体１３ｍ，１３ｆの側面５８ｃを発光部３６の配光領域６０の外縁６２に略沿った姿勢で配置することができる。したがって、照明装置１０の幅を小さくしながら、照明装置１０の長手方向端部でのコネクタ２２ｍ，２２ｆによる遮光を抑制することができる。
【００５８】
さらに、この変形例の連結用照明装置１０Ｃを含む照明装置１０において、第２角度βは、配光角２θの１／２以上で、かつ、８０度以下であって、さらに６０度以上であることがより好ましい。このようにすれば、例えば配光角が例えば１２０度の発光素子３８が用いられる場合に、配光領域６０の外縁６２に対してコネクタ本体１３ｍ，１３ｆの面取りされた側面５８ｃをより平行に近い状態で配置することができ、照明装置１０の長手方向端部でのコネクタ２２ｍ，２２ｆによる遮光をより効果的に抑制できる。
【００５９】
図９（ａ）は基板３４の変形例を示す平面図であり、図９（ｂ）は（ａ）におけるＤ−Ｄ断面図である。
【００６０】
図９に示すように、基板３４上に実装された複数の発光素子３８は、透光性樹脂７０で一括封止されてもよい。透光性樹脂７０には、例えば、シリコーン、エポキシ樹脂等が好適に用いられる。この構成によれば、各発光素子３８の基板３４上での実装状態がより安定したものになる利点がある。また、透光性樹脂７０に蛍光粉末を混合すれば、発光素子３８からの光を受けて蛍光粉末が発光することで、照明装置１０から任意の光色の光を出射させることができる。
【００６１】
なお、本開示は、上述した実施形態および変形例に限定されるものではなく、本願の特許請求の範囲に記載された事項およびその均等な範囲内で種々の変更や改良が可能である。
【００６２】
例えば、上記においてはコネクタ２２ｍ，２２ｆが２つの端子部２６ｍ，２６ｆを含む場合について説明したが、これに限定されるものではない。コネクタは、例えば、接地極となる別の端子部をさらに含んでもよい。この場合、接地極となる別の端子部は、例えば、上記２つの端子部２６ｍ，２６ｆに対して三角形状をなす位置に配置されてもよい。
【００６３】
また、上記ではＡＣ／ＤＣコンバータ４６を含む駆動回路部４０を内蔵した照明装置１０について説明したが、これに限定されるものではない。外部にある直流電源装置から照明装置に直流電圧が供給される場合には、照明装置内にＡＣ／ＤＣコンバータを備えていなくてもよい。
【符号の説明】
【００６４】
１０  照明装置、１０Ａ  基端用照明装置、１０Ｂ，１０Ｃ  連結用照明装置、１１ａ，１１ｂ  端板、１３ｆ，１３ｍ  コネクタ本体、１６  側壁、２２ｆ  メス型コネクタ、２２ｍ  オス型コネクタ、２６ｆ  メス型端子部、２６ｍ  オス型端子部、３０  基板取付部材、３４  基板、３４ａ  表面、３６  発光部、３８  発光素子、４０  駆動回路部、５６  カバー部材、５８ａ  （コネクタ本体の）側面、５８ｃ  （コネクタ本体の）面取りされた側面、６０  配光領域、６２  外縁、７０  透光性樹脂、ＯＡ  光軸、α  第１角度、β  第２角度、２θ  配光角。
【図１】
2018120748.tif 000003
【図２】
2018120748.tif 000004
【図３】
2018120748.tif 000005
【図４】
2018120748.tif 000006
【図５】
2018120748.tif 000007
【図６】
2018120748.tif 000008
【図７】
2018120748.tif 000009
【図８】
2018120748.tif 000010
【図９】
2018120748.tif 000011